(57)【要約】【課題】  異なる画像形成過程を経て出力される画像間の画質の均一化を図る。【解決手段】  両面同時印刷は、共通の感光体から表裏面の各トナー像をそれぞれ異なる回数の画像転写によって記録媒体に形成する（表：第１転写ベルト→記録媒体、裏：第１転写ベルト→第２転写ベルト→記録媒体）。異なる画像形成過程をとると、出力画像の表裏面間に画質に違いが生じるので、画像形成に用いる画像データを表裏面それぞれで調整する。調整は、原稿を読み取ったＲＧＢ画像を画像形成に用いるＫＣＭＹ画像に処理する過程の色補正３０４、プリンタγ３０６の変換パラメータを表裏面それぞれに適合する設定に変更する制御によって行う。表裏各面に適合する変換パラメータは、ＡＣＣ３０３から基準カラーパッチを出力させ、紙出力したカラーパッチを本装置のスキャナで読み取り最適出力を得るためのパラメータ値に反映させる。【選択図】          図３
2006084778.tif 000002
【特許請求の範囲】
【請求項１】
入力手段を通して入力された画像データを画像形成用データに変換・処理する画像処理手段と、それぞれ異なる複数の画像形成過程を経て前記画像形成用データによる記録媒体への画像形成が可能な画像形成手段を有する画像形成装置であって、異なる画像形成過程を経て行う画像形成動作の指示に応じて前記画像処理手段に設定する処理条件を変更し、設定の結果として得られる画像形成用データを指示された画像形成動作モードの画像形成過程に用いる制御を行う制御手段を備えたことを特徴とする画像形成装置。
【請求項２】
入力手段を通して入力された画像データを画像形成用データに変換・処理する画像処理手段と、前記画像形成用データによる書き込みによって形成した画像を担持する第１像担持体、前記第１像担持体上に形成した画像を前記第２像担持体に転写する第１転写手段、前記第１像担持体上に担持した画像を記録媒体の一方の面に転写する第２転写手段及び前記第２像担持体上に担持した画像を記録媒体の他方の面に転写する第３転写手段よりなり、記録媒体の各面への画像形成過程を異にした画像形成手段を有する画像形成装置であって、異なる画像形成過程を経て行う記録媒体の各面の画像形成動作に対する指示に応じて前記画像処理手段に設定する処理条件を変更し、設定の結果として得られる画像形成用データを指示された記録媒体面の画像形成過程に用いる制御を行う制御手段を備えたことを特徴とする画像形成装置。
【請求項３】
請求項1又は２に記載された画像形成装置において、前記画像処理手段に設定する処理条件が画像出力を調整するためのパラメータであることを特徴とする画像形成装置。
【請求項４】
請求項３に記載された画像形成装置において、前記画像データの入力手段として画像の読み取り手段を有するものとし、前記入力手段によって、基準画像データを用いて前記画像形成手段によって異なる画像形成過程を経て形成された各々の基準画像パターンを読み取り、得られる画像データに基づいて、前記パラメータを生成するパラメータ生成手段を備えたことを特徴とする画像形成装置。
【請求項５】
請求項４に記載された画像形成装置において、前記パラメータ生成手段が、任意に指定される濃度及び画像形成動作モードに従って出力される前記基準画像データを用いてパラメータを生成する手段であることを特徴とする画像形成装置。
【請求項６】
請求項1乃至5のいずれかに記載された画像形成装置において、入力手段を通して入力された画像データがカラー画像であり、前記画像処理手段に設定する処理条件を、カラー画像の各構成色の出力を調整するためのパラメータとしたことを特徴とする画像形成装置。
【発明の詳細な説明】
【技術分野】
【０００１】
本発明は、複写機、プリンタ、ファクシミリ、ＭＦＰ（多機能もしくは複合）機等の画像形成装置に関し、両面同時印刷のように、それぞれ異なる複数の画像形成過程を経て画像出力を行う場合に、各画像出力における画質の均一化を図ることを可能とする画像形成装置に関する。
【背景技術】
【０００２】
従来から、複写機やプリンタなどの画像形成装置において、感光体ドラムの表面に静電潜像を生成し、静電潜像に現像剤（トナー）を付着させて、現像、可視化を行い、このトナー像を記録紙に転写、定着させる、いわゆる電子写真方式が用いられている。
こうした電子写真方式の画像形成装置では、今日、記録媒体の両面へ画像を形成することが一般的になっている。このために導入されている従来方法の一つは、単一の画像形成手段を用いる方法で、記録媒体の一方の面に画像を転写、定着した後に、他方の面に、一方の面に行ったと同様に再び転写、定着のプロセスを行うという方法によるものである。しかしながら、この方法によると、両面反転装置が必要不可欠になるとともに、両面印刷時においてファーストプリントが遅くなることが否めない。
【０００３】
両面反転装置を用いる従来の両面印刷における上記した問題を解決するために、一度の通紙により転写紙両面への画像形成の実現を図る画像形成装置について、下記特許文献１に例示する提案がなされた。なお、以下、本明細書の記載において、“両面同時”印刷（画像形成、或いは転写）という場合、一度の通紙により転写紙の両面に印刷を行うことを指す。
下記特許文献１記載の画像形成装置では、記録媒体への両面印刷は、各面に対応して感光体、現像部、中間転写ベルト等からなる画像形成部をそれぞれ設けるようにしており、こうした構成により、両面同時画像形成を行うことができるようにしている。しかしながら、この装置においては、画像形成部を両面用に各々有しているために、省スペースに対する要求が強い昨今において、機械の大型化という問題をもたらし、マイナス要因となるばかりではなく、コスト面でも非常に不利である。
そこで、下記特許文献２に例示するような画像形成部を両面にダブル装備しないで、一度の通紙によって両面印刷を可能とする方法を用いる画像形成装置が提案された。
特許文献２記載の画像形成装置は、第１中間転写ベルトを介して感光体ドラムに作像した画像を転写紙の一方の面に、また、転写紙の他方の面に対しては第１中間転写ベルトからさらに第２中間転写ベルトを介して転写することにより、第１及び第２の中間転写ベルトから転写紙への両面同時印刷を可能とするものである。なお、この第１及び第２の中間転写ベルトを用いる両面同時転写を４感光体ドラムによるタンデム方式に採用したものは、後記図１に示すものである。
【特許文献１】特開２０００−３５２８８９号公報
【特許文献２】特開平８−１６０７０３号公報
【発明の開示】
【発明が解決しようとする課題】
【０００４】
しかしながら、特許文献２記載の画像形成装置では、記録媒体の表裏像は、同じ感光体ドラム上に作像されたトナー像を、表裏面でそれぞれ異なる回数の画像転写によって形成される。従って、同一の画像データに基づいて感光体ドラム上に作像された表裏像を、記録媒体の表裏面に転写しても、この転写過程の違いによって、画質の均一性が損なわれる可能性がある。
従来、同一の画像データに基づいて画像出力を異なる画像形成装置で行わせる場合に色再現性を補償するために機差補正を行う、という考え方はあったが、上記したような、装置内で行われる画像形成過程の違いによって起きる可能性がある画質のばらつきを補償する手段については、これまでに提案がなく、未解決の問題であった。
本発明は、両面印刷が可能な画像形成装置の例に示すように、それぞれ異なる画像形成過程を経て画像出力動作を行うことが可能な装置において生じる上記した問題に鑑み、これを解決するためになされたもので、異なる画像形成過程を経て出力される画像間の画質の均一化を図ることを解決すべき課題する。
【課題を解決するための手段】
【０００５】
請求項１の発明は、入力手段を通して入力された画像データを画像形成用データに変換・処理する画像処理手段と、それぞれ異なる複数の画像形成過程を経て前記画像形成用データによる記録媒体への画像形成が可能な画像形成手段を有する画像形成装置であって、異なる画像形成過程を経て行う画像形成動作の指示に応じて前記画像処理手段に設定する処理条件を変更し、設定の結果として得られる画像形成用データを指示された画像形成動作モードの画像形成過程に用いる制御を行う制御手段を備えたことを特徴とする画像形成装置である。
【０００６】
請求項２の発明は、入力手段を通して入力された画像データを画像形成用データに変換・処理する画像処理手段と、前記画像形成用データによる書き込みによって形成した画像を担持する第１像担持体、前記第１像担持体上に形成した画像を前記第２像担持体に転写する第１転写手段、前記第１像担持体上に担持した画像を記録媒体の一方の面に転写する第２転写手段及び前記第２像担持体上に担持した画像を記録媒体の他方の面に転写する第３転写手段よりなり、記録媒体の各面への画像形成過程を異にした画像形成手段を有する画像形成装置であって、異なる画像形成過程を経て行う記録媒体の各面の画像形成動作に対する指示に応じて前記画像処理手段に設定する処理条件を変更し、設定の結果として得られる画像形成用データを指示された記録媒体面の画像形成過程に用いる制御を行う制御手段を備えたことを特徴とする画像形成装置である。
【０００７】
請求項３の発明は、請求項1又は２に記載された画像形成装置において、前記画像処理手段に設定する処理条件が画像出力を調整するためのパラメータであることを特徴とするものである。
【０００８】
請求項４の発明は、請求項３に記載された画像形成装置において、前記画像データの入力手段として画像の読み取り手段を有するものとし、前記入力手段によって、基準画像データを用いて前記画像形成手段によって異なる画像形成過程を経て形成された各々の基準画像パターンを読み取り、得られる画像データに基づいて、前記パラメータを生成するパラメータ生成手段を備えたことを特徴とするものである。
請求項５の発明は、請求項４に記載された画像形成装置において、前記パラメータ生成手段が、任意に指定される濃度及び画像形成動作モードに従って出力される前記基準画像データを用いてパラメータを生成する手段であることを特徴とするものである。
【０００９】
請求項６の発明は、請求項1乃至5のいずれかに記載された画像形成装置において、入力手段を通して入力された画像データがカラー画像であり、前記画像処理手段に設定する処理条件を、カラー画像の各構成色の出力を調整するためのパラメータとしたことを特徴とするものである。
【発明の効果】
【００１０】
請求項１〜３の発明によると、異なる画像形成過程を経て画像出力動作が行われる場合に、それぞれの画像形成用に調整された画像データを用いるようにしたので、各画像形成動作モードによる出力画像間の画質の均一性を保つことが可能になる。特に、両面同時印刷が可能な画像形成装置の表裏面の画像出力に生じる可能性のある画質の不均一を解消することが可能になる（請求項２）。
請求項４，５の発明によると、画像形成装置自身の持つ画像出力特性が直接反映される基準画像パターン読み取り方式で得た調整パラメータを用いることにより、適正な調整を簡単に行うことが可能になる。また、基準画像パターンを任意に指定可能としたことにより、求める画質の均一性を経時的に保つための設定変更を、短時間に且つ余計なトナー等の現像剤を消費することなく行うことが可能となる（請求項５）。
請求項６の発明によると、カラー画像の形成に対応して、画質の均一性を保つことが可能になる。
【発明を実施するための最良の形態】
【００１１】
以下、本発明の実施形態に係わる画像形成装置を説明する。
ここに示す実施形態は、本発明の画像形成装置を電子写真方式で画像形成を行うデジタル複写装置に適用した例を示す。適用対象である複写装置は、両面コピーが可能な機能を備えた装置である。原稿読み取り装置によって読み取った複数枚の原稿画像データをもとに、記録媒体の両面に原稿画像を再生する画像形成処理過程を行う処理手段を備えた装置を構成する。また、両面コピーは、記録媒体（転写紙）の両面に一度の通紙によって画像を転写する（両面同時転写）方式を採用する。
なお、本発明を適用することにより付加する構成部分、即ち、表裏各面の出力画像間における画質の均一性を保つために行う画像データの調整処理に関連する部分、を除く他の構成は、従来から在る此の種のデジタル複写装置と同様の要素よりなるものである。
【００１２】
まず、両面同時転写を可能とした画像形成部の構成を説明する。
図１は、本例の画像形成部全体を概略構成として示す。図１に示す画像形成部は、カラー画像をタンデム作像方式と呼ばれる、４色（Ｍ，Ｃ，Ｙ，Ｋ）が個別に感光体や現像手段を具備し、４色同時に像担持体への作像動作を可能とする方式によるものである。
本例の両面同時印刷時の画像形成過程は、大よそ次の通りである。即ち、タンデム作像方式により感光体１に担持された各色の画像は、第１中間転写ベルト１０に転写され、ここで各色が重ねられる。第１中間転写ベルト１０上に転写されたカラー画像は、記録媒体（転写紙）の一方の面に作られる画像の場合、ここからさらにもう一つの第２中間転写ベルト１００へと転写される。また、他方の面に作られる画像の場合、両面で第１中間転写ベルト１０を共通に用いるので、一方の面の作像が終了し、その画像が第２中間転写ベルト１００に転写された後に、第１中間転写ベルト１０に作像される。他方の面の画像は、ここから直接記録媒体に転写される。この時同時に、第２中間転写ベルト１００上に写した一方の面の画像も転写される。このようにして、同時に記録媒体の両面に画像が形成される。
【００１３】
図１を参照して、本実施形態の画像形成過程に係わる装置構成を、より詳細に説明する。
各色成分に対応して４個（ａ，ｂ，ｃ，ｄ）設けられた感光体ドラム１は、走査方式で動作するために図中に矢印で示す方向に定速で回転可能に支持され、また、各感光体ドラム１の外周部には、それぞれ除電装置Ｌ、クリーニング装置２、帯電装置３、及び現像装置５が配備されている。帯電装置３と現像装置５の間には、露光装置４から発せられる画像情報を担った光ビームの入るスペースが確保されている。各色の感光体ドラム１それぞれの周囲に設けられる画像形成用の部品構成は同じである。ただし、当然、現像装置５が扱う現像材（トナー）の色は異なる。
感光体ドラム１は、直径が３０〜１００ｍｍ程度のアルミニューム円筒表面に、光導電性物質である有機半導体の層を設けた感光体である。その一部が、第１中間転写ベルト１０に接し、ドラム面に担持した画像を転写可能とする。なお、本実施形態では、感光体としてドラム状のものを用いているが、ベルト状の感光体も採用可能である。
【００１４】
走査方式で動作する感光体ドラム１上の画像の転写を受ける第１中間転写ベルト１０は、回転するローラ１１、１２、１３間に支持、張架されて、図中に示す矢印方向に移動可能である。第１中間転写ベルト１０の裏側（ループの内側）には、感光体ドラム１から第１中間転写ベルト１０へトナー画像を転写するための転写手段２０が、配備されている。第１中間転写ベルト１０は、厚みが５０μｍ〜６００μｍの樹脂フィルムあるいはゴムを基体とし、感光体ドラム１からトナーを転写可能とする抵抗値を持つ。
第１中間転写ベルト１０のベルトループの外側に、第１中間転写ベルト用のクリーニング装置２５が配備される。クリーニング装置２５は、第１中間転写ベルト１０上の画像を転写した（後述するように、第２中間転写ベルト１００或いは記録媒体への転写）後に、ベルトの表面に残留する不要のトナーを拭い去る。
露光装置４は、公知のレーザビーム書き込み方式で、感光体ドラム１を回転させ（副走査させ）ながら回転と同期をとって、画象情報を担ったレーザビームで一様に帯電された感光体表面を照射（主走査）し、ライン画像を書き込む（感光体表面に潜像を生成する）。本例では、タンデム方式を採用しているから、４個（ａ，ｂ，ｃ，ｄ）の感光体ドラム１にフルカラー（Ｍ：マゼンタ、Ｃ：シアン、Ｙ：イェロー、Ｋ：ブラックの４色）に対応する画像を書き込み、感光体ドラム１から各色の画像を第１中間転写ベルト１０に転写することにより、第１中間転写ベルト１０上で転写される各色の画像を重ね合わせる。なお上記したレーザビーム書き込み方式に代えて、ＬＥＤアレイと結像手段から成る露光方式を採用してもよい。
【００１５】
本実施形態では、両面画像を形成するために、第１中間転写ベルト１０上の画像をさらに転写するための像担持体として、第２中間転写ベルト１００を設ける。第２中間転写ベルト１００は、回転するローラ１１１、１１２、１１３間に支持、張架されて、図中に示す矢印方向に移動可能である。第２中間転写ベルト１００の裏側（ループの内側）には、転写手段１２０が配備される。この転写手段１２０は、第１中間転写ベルト１０から第２中間転写ベルト１００への転写を行うための手段であり、また第１中間転写ベルト１０から記録媒体への転写を行うための手段としても働かせるようにしている。第２中間転写ベルト１００は、厚みが５０〜６００μｍの樹脂フィルムあるいはゴムを基体にして、第１中間転写ベルト１０からトナーを転写可能とする抵抗値を持つ。転写手段１２０、ローラ１１３及びローラ１１（第１中間転写ベルト１０を支持するローラ）により、第１中間転写ベルト１０と第２中間転写ベルト１００（或いは記録媒体）は接触し、予め定められた転写ニップを形成する。
第２中間転写ベルト１００のベルトループの外側に、この転写ベルト用のクリーニング装置２５０、第２中間転写ベルト１００から記録媒体への転写を行う転写手段としてのチャージャＣＨ、などが配備される。クリーニング装置２５０は、第２中間転写ベルト１００上のトナー画像を記録媒体に転写した後、残留する不要のトナーを拭い去る。
【００１６】
記録媒体（転写紙）Ｐは、図１の下方の給紙装置（給紙カセット）２６-１、２６-２に収納されており、カセットに積載した最上の用紙が給紙ローラ２７で１枚づつ取り出され、複数のガイド部材からなるガイド２９を経てレジストローラ対２８に搬送される。その後、搬送した記録媒体は、転写手段１２０及びチャージャＣＨにより両面それぞれの面への転写を受ける。
図１の上方に、画像が転写された記録媒体に対して熱定着の処理をする定着手段３０と、排紙部を構成する排紙ガイド対３１、排紙ローラ対３２、及び排紙スタック部４０が配備される。
第１中間転写ベルト１０の上方で、排紙スタック部４０の下方には、補給用のトナーが収納できる収納部ＴＳが設けられる。トナーは、Ｍ：マゼンタ、Ｃ：シアン、Ｙ：イェロー、Ｋ：ブラックの４色分を、カートリッジＴＣの形態にして備える。カートリッジＴＣのトナーは、粉体ポンプ等により各色に対応する現像装置５に適宜補給される。
本体の一部のフレーム５０は、開閉支軸５０Ａを中心として、回動・開放を可能な構造にしておくことにより、開放時に記録媒体の搬送路が大きく開くようにして、ジャム状態にある記録媒体（転写紙）の除去等の処理を容易にする。
【００１７】
本実施形態のデジタル複写装置に係わる制御システムについて、その概略構成をブロック図として示す図２を参照して、説明する。
図２において、ＣＰＵ２０１は、搭載された制御プログラムを実行することにより複写装置全体の制御を司るメイン制御部として機能する。
メイン制御部として機能するＣＰＵ２０１は、本実施形態の複写装置を構成する、システムコントローラ２０４、操作部（液晶タッチパネル）２０５、原稿読み取り部（スキャナ・光源）２０６、画像形成部２０７、ネットワーク制御部２０８、の各部に対し、原稿のコピーを作成する処理過程の動作に必要な指令やデータをメインバス経由で与える。なお、図１中のＲＯＭ２０２及びＲＡＭ２０３は、ＣＰＵ２０１が制御動作に用いるプログラムやＣＰＵ２０１の処理に必要な各種のデータを記憶するメモリである。
制御システムは、コピー作成時には、初期設定や操作部２０５から指示される動作条件に従って、原稿読み取り部２０６による複写原稿の読み取り、システムコントローラ２０４による読取画像信号の処理、画像形成用に処理された画像データを用いて行う画像形成部２０７による転写紙への作像（図１、参照）、といったコピー作成過程に必要な一連の動作を実行する。また、両面コピーは、この制御システムが実行可能なコピー機能の一つとして搭載されるものである。さらに、両面同時印刷を可能とした画像形成動作に係わる処理として、後記で詳述する、表裏各面の出力画像間における画質の均一性を保つために行う画像データの調整に用いる変換パラメータの生成処理についても、この制御システムが搭載する機能による。
【００１８】
ここで、画像形成部（図１、参照）の動作を説明する。上記した制御システム（図２）の制御下で、両面印刷機能を備えた従来装置と同様に、“両面同時印刷モード”と、通常の片面のみに画像を形成する“片面印刷モード”の動作を可能とする。いずれの動作モードも、操作部２０５（図１には不図示）からユーザによって印刷（コピー）モードとして指示され、指示された動作条件に従って、原稿読み取り部２０６で原稿をスキャナ読み取りし、入力された原稿画像データに基づいて、画像形成部２０７で記録媒体に画像を形成するまでの一連のコピー作成処理を行う。
この一連のコピー作成処理は、制御システム（図２）に搭載された“両面同時印刷モード”或いは“片面印刷モード”の動作手順を実行するための制御プログラムをドライブすることによって行われる。ＣＰＵ２０１は、印刷モードが指示されると、指示された印刷モードの動作を行う制御プログラムを立ち上げ、システムコントローラ２０５にこの印刷モードの動作を命じる。システムコントローラ２０５は、この命を受けてシステムを構成する情報処理系及び駆動系の各部を制御することによって、“両面”、“片面”それぞれの印刷動作を実行する。
【００１９】
画像形成部（図１、参照）の動作として、先ず、“両面同時印刷モード”について、説明する。本例では、両面の各画像に対して第１中間転写ベルト１０を共通に用い（即ち、色重ねを行うまでの過程は、両面で変わらない）、かつ記録媒体の両面に一度の通紙によりそれぞれの画像を転写する処理を行うようにする。このために、感光体ドラム１を経て第１中間転写ベルト１０に先に担持された画像は、一旦第２中間転写ベルト１００に転写される。次いで、感光体ドラム１に作像された次の画像を第１中間転写ベルト１０に転写しながら、第２中間転写ベルト１００と第１中間転写ベルト１０上に担持された画像が、同時に記録媒体上の両面に転写されるようにする。
従って、両面印刷動作が開始されると、まず感光体ドラム１上で作像を行う。この作像処理は、露光装置４の作動による。露光方式は、不図示のＬＤ（レーザ ダイオード）光源を画像データによって変調させ、レーザビームで画像を書き込む方式を用いる。本実施形態では、変調された４本のレーザビームが、ライン走査光学系を経て、帯電装置３で一様に帯電されたそれぞれが対応する４色分の感光体ドラム（ａ〜ｄ）１の表面を照射し、光書き込みが行われる。感光体ドラム１は、回転されているので、ドラム表面に書き込まれた各色成分の画像情報に応じた潜像を生成する。
感光体ドラム１上の潜像は、現像装置５で現像され、トナーによる顕像を感光体ドラム１の表面に形成・保持する。このトナー像を、転写手段２０により、感光体ドラム１の回転と同期して移動する第１中間転写ベルト１０の表面に転写する。
感光体ドラム１の表面には、トナーが残存するので、これをクリーニング装置２でクリーニングし、除電装置Ｌで除電して、次の作像サイクルに備える。
【００２０】
第１中間転写ベルト１０は、ａと記された感光体ドラム１から転写されたトナー像を坦持し、図１中の矢印の方向に移動する。このとき、ｂと記された感光体ドラム１に、別の色に対応する潜像が書き込まれ、対応する色のトナーで現像することで、顕像となる。この像は、既に感光体ドラム１に乗っている前の色の顕像に重ねられる。このような転写方法で、最終的に４色重ねられるまで、順次各色成分の転写が行われる。
このとき同期して第２中間転写ベルト１００は、図１中の矢印方向に移動していて、転写手段１２０の作用で、第２中間転写ベルト１００の表面に第１中間転写ベルト１０表面に作られた画像が転写される。
いわゆるタンデム形式により４個の感光体ドラム１上で画像を形成しながら、第１中間転写ベルト１０、第２中間転写ベルト１００が移動し、作像が進められるので、処理時間の短縮化が図られる。
記録媒体の一面に形成する画像を第１中間転写ベルト１０へ転写する処理の終了に引き続いて、記録媒体の他面に形成されるべきトナー像を、先に行ったと同様の過程で、第１中間転写ベルト１０へ転写するために、再度、感光体ドラム１への作像が行われる。
【００２１】
この段階で、記録媒体の両面への転写が可能な状態になるので、記録媒体の給紙を開始する。給紙ローラ２７が反時計方向に回転すると、給紙装置の給紙カセット２６−１，２６−２内の最上部にある記録媒体（転写紙）Ｐが引き出され、レジストローラ対２８に向けて搬送される。
レジストローラ対２８を経て、第１中間転写ベルト１０と第２中間転写ベルト１００の間に送られる記録媒体の片側の面に、転写手段１２０により第１中間転写ベルト１０表面のトナー像が転写される。
記録媒体をさらに上方に搬送し続け、記録媒体のもう一方の面にチャージャＣＨにより第２中間転写ベルト１００表面のトナー像が転写される。この転写の際に、記録媒体は、第２中間転写ベルト１００及び第１中間転写ベルト１０と同期し、かつ画像が正規の位置になるよう、タイミングをとって搬送される。
本実施形態では、感光体ドラム１に作像されるトナーの極性は、マイナスである。転写手段２０にプラスの電荷を与えることで、感光体ドラム１に作像されたトナーは、第１中間転写ベルト１０に転写される。また、転写手段１２０にプラスの電荷を与えることで、第１中間転写ベルト１０に作像されたトナーは、第２中間転写ベルト１００に転写される。さらに、転写手段１２０は、第１中間転写ベルト１０表面のトナーを記録媒体の片側の面に転写するときにも働く。また、チャージャＣＨからプラス極性の電荷与えることで、第２中間転写ベルト１００表面のマイナス極性のトナーは、吸引されて、記録媒体の他の面へ転写される。
【００２２】
上記の手順で処理を行うことによって、両面にトナー像が転写された記録媒体Ｐは、その後、定着手段３０に送られ、記録媒体上のトナー像（両面）が一度に溶融、定着され、ガイド対３１を経て排紙ローラ対３２により本体フレーム上部の排紙スタック部４０に排出される。
排紙スタック部４０を図１のように構成した場合、両面画像のうち第１中間転写ベルト１０から記録媒体に直接転写される面、即ち、後から感光体ドラム１上に画像を作成し転写される面が下面となって、排紙スタック部４０に載置されるから、頁揃えをしておくには、感光体ドラム１上に画像を作成する順序として、２頁目の画像を先に作成し、第２中間転写ベルト１００にそのトナー像を保持し、１頁目の画像を第１中間転写ベルト１０から記録媒体に直接転写するようにすればよい。
ここに、両面転写によって記録媒体の各面に転写される画像は、それぞれ転写回数が異なる。つまり第１中間転写ベルト１０から記録媒体に転写されるトナー像は、偶数回であるから、感光体ドラム１表面で正像にし、他方、第２中間転写ベルト１００から記録媒体に転写されるトナー像は、奇数回であるから、感光体ドラム１表面で逆像（鏡像）になるよう露光する必要がある。
なお、このような頁揃えのための作像順は、画像データをメモリに貯蔵する公知の技術で、また正、逆像（鏡像）に切り換える露光も、公知の画像処理技術を適用することにより、実施することができる。
第２中間転写ベルト１００から記録媒体に転写した後、クリーニング装置２５０は、内部に備えた公知のブラシローラ、回収ローラ、ブレード等によって第２中間転写ベルト１００表面に残留する不要のトナーや紙粉を除去する。また、図１ではクリーニング装置２５０のブラシローラが第２中間転写ベルト１００から離れた状態にあるが、支点２５０Ａを中心として揺動可能で、第２中間転写ベルト１００表面に接離可能な構造になっている。記録媒体に転写する以前で、第２中間転写ベルト１００がトナー像を担持しているとき離し、クリーニングが必要のとき、図１において反時計方向に揺動、接触させて、動作状態とする。除去された不要トナーは、トナー収納部２５０Ｂに集められる。
【００２３】
上記で、画像形成部（図１、参照）における“両面同時印刷モード”について、説明したが、もう一方の“片面印刷モード”は、“両面同時印刷モード”における一方の面の画像形成処理を行うことにより実現が可能である。即ち、二通りの方法を用いることが可能である。
ここでは、第２中間転写ベルト１００にトナーを転写する工程を省き、第１中間転写ベルト１０から記録媒体に転写する場合を説明する。
この場合、感光体ドラム１の表面に形成されたトナー像は、第１中間転写ベルト１０に転写しながら、第１中間転写ベルト１０から記録媒体（転写紙）Ｐへと転写される。
記録媒体Ｐは、第１中間転写ベルト１０上に形成されたトナー像との位置合わせのために同期をとって、第１中間転写ベルト１０と第２中間転写ベルト１００の間に送られる。この記録媒体Ｐに転写手段１２０によって、第１中間転写ベルト１０上のトナーが転写される。この後、記録媒体Ｐは、定着手段３０のある領域に送られる。このとき、記録媒体Ｐは、第２中間転写ベルト１００とともに移動するが、第２中間転写ベルト１００側の転写手段であるチャージャＣＨは、作動することはない。記録媒体Ｐは、定着手段３０でトナーが定着された後、第２中間転写ベルト１００から離れ、ガイド対３１、排紙ローラ対３２を経て矢印Ａの方向に排出され、画像面が下になった状態（フェースダウン）で排紙スタック部４０に載置される。
このような構成であると、数頁にわたる原稿を１頁から順に処理しても、排紙スタック部４０から取り出したとき、プリント物は頁順になっている。
以上に述べた画像形成動作は、複数色のトナーを使った、カラー画像の作像に関してであったが、モノクロ画像の作成も、ａ〜ｄの中の一感光体ドラム１のみ動作させることにより、同様に両面同時印刷モード或いは片面印刷モード動作を行うことが可能である。さらに、単一の感光体ドラムを持つモノクロ機においても、同様に両面同時／片面印刷モードの動作を可能とする上記と同様の仕組みが適用できる。
【００２４】
次に、上記でデジタル複写装置を例に示した画像形成装置（図１及び図２参照）の表裏各面の出力画像間における画質の均一性を保つために行う画像データの調整処理について、説明する。
本実施形態のデジタル複写装置は、上記したように、記録媒体の両面に印刷が可能である。また、ここで行う両面印刷は、共通の感光体ドラム上で形成した表裏面の各トナー像を、連動する第１、第２中間転写ベルトにそれぞれ写すことにより、第１、第２中間転写ベルトからの記録媒体の表裏両面への同時転写を可能にする方式を用いる。
この方式によると、共通の感光体ドラムから表裏面の各トナー像をそれぞれ異なる回数の画像転写によって記録媒体に形成する。従って、記録媒体に形成する表裏各面は、異なる画像形成過程をとることになり、出力される画像品質に不均一をもたらす可能性がある。つまり、表裏面に同一の画像データを用いても、記録媒体に形成される表裏面の画像間に画質の違いが出てしまう可能性がある。
そこで、記録媒体に形成される表裏面の画像間に画質の違いが出ないように、画像形成に用いる画像データを調整するという方法によって、この問題の解決を図るものである。
【００２５】
先ず、本実施形態のデジタル複写装置において、画像形成に用いる画像データの処理について説明する。
図３は、本実施形態の画像処理部の内部構成を示すブロックである。
システムコントローラ２０４（図２の制御システム、参照）は、入力手段を通して入力された画像データを画像形成用データに変換・処理し、処理した画像データを画像形成部２０７に渡す機能を受け持っている。図３に示す画像処理部は、この機能を実現する手段である。
この画像処理部は、入力手段を通して入力されたＲ，Ｇ，Ｂ画像データに各種の調整を施し、画像形成部２０７が利用可能なＫ，Ｃ，Ｍ，Ｙ画像データに変えて出力する。入力手段は、コピー機能を用いる場合、読み取り部２０６であり、読み取り部２０６でスキャナ入力された原稿画像データが、画像処理部の処理対象となる。なお、デジタル複写装置がＭＦＰ機であれば、ネットワーク制御部２０８が入力手段となる。ネットワーク制御部２０８を経由して入力された外部機（例えば、他のデジタル複写装置やホストＰＣ等）からプリント出力要求された画像データが、画像処理部の処理対象となる。
【００２６】
本実施形態の画像処理部（図３）の構成及び動作について、コピー処理時のフローに沿って以下に説明する。
画像読取り部２０６のカラーイメージセンサ（ＣＣＤ）で読取った原稿の画像データは、ＲＧＢデータで出力される。
このＣＣＤの出力画像データを受け取る画像処理部は、まず、シェーディング補正処理部３０１によって画像読取り部２０６の光学的条件やＣＣＤの素子特性のばらつき等に起因する主走査方向の画像データの不均一性を補正する。補正の結果、同一原稿に対し同一のＲＧＢ画像データが、シェーディング補正処理部３０１から出力される。
次のスキャナガンマ処理部３０２では、入力画像データが、ＣＣＤ固有の変換特性の影響により入出力がノンリニアなデータになっているので、スキャナガンマ処理によって、規格化されたリニアな画像データに変換し、出力される。
次のＡＣＣ（自動カラー補正）処理部３０３では、コピー処理の対象となった画像データは処理されること無く出力される。なお、ＡＣＣ（自動カラー補正）機能の利用については、後述する。
次の色補正処理部３０４では、画像データがＲ，Ｇ，Ｂの色空間からＫ，Ｃ，Ｍ，Ｙの色空間に変換され、プリント出力に利用可能な画像データが生成される。従って、色補正までの処理フローとして行う、シェーディング補正、スキャナガンマは、Ｒ，Ｇ，Ｂ画像データに対する処理である。また、色補正後の処理は、Ｋ，Ｃ，Ｍ，Ｙ画像データに対する処理である。
また、色空間の変換の際に、画像形成部２０７のプリンタエンジン特性にマッチした出力としての変換を施す。このため、色補正処理部３０４は、（Ｒ，Ｇ，Ｂ）→（Ｋ，Ｃ，Ｍ，Ｙ）の変換特性を定める変換パラメータの設定を可変とする。プリンタエンジン特性の経時変化やプリント出力の動作モードによってプリンタエンジン特性が異なる場合には、予め最適な色味のプリント出力を得るための変換パラメータを求めておき、求めた変換パラメータを動作に合わせて設定して、色空間の変換処理を行うことにより、Ｋ，Ｃ，Ｍ，Ｙ出力を調整することができる。この色補正処理部３０４による色味の調整は、上記した両面印刷における表裏面の画像間に生じ得る画質の違いを抑制し、均一化を図ることを可能にする。
【００２７】
次の主走査変倍処理部３０５では、操作部２０５から指示された主走査方向の変倍率に応じて、画像データが処理される。なお、副走査方向は、原稿の読取り速度を変倍率に応じて可変することで、指示された変倍率の画像データが得られる。
次のプリンタガンマ（γ）処理部３０６では、入力されるＫ，Ｃ，Ｍ，Ｙ画像データに画像形成部２０７のプリンタエンジン特性にマッチした出力としての変換を施す。このため、プリンタガンマ処理部３０６は、Ｋ，Ｃ，Ｍ，Ｙの各画像データの入出力特性を定める変換パラメータの設定を可変とする。プリンタエンジン特性の経時変化やプリント出力の動作モードによってプリンタエンジン特性が異なる場合には、予め最適なプリント出力を得るための変換パラメータを求めておき、求めた変換パラメータを動作に合わせて設定して、ガンマ変換処理を行うことにより、出力を調整する。
このプリンタガンマ処理による出力の調整は、上記した両面印刷における表裏面の画像間に生じ得る画質の違いを抑制し、均一化を図ることを可能にする。
【００２８】
表裏面の画像出力間の均一化を図る調整を行うためには、表裏面それぞれの画像をプリント出力する画像形成部（プリンタエンジン）の特性を知る必要がある。プリンタエンジンの特性が分かれば、その特性を色変換パラメータ或いはガンマ変換パラメータに反映させることにより、所期の均一化が図られる。例えば、表裏面それぞれの画像をプリント出力するテストを行うことにより、表裏面の印刷出力を行うプリンタエンジンそれぞれの特性値を求め、求めた特性値から表裏面の画質を均一にする変換パラメータを導く（例えば、サービスマンがテストを評価しパラメータ値を調整する）。この変換パラメータを制御システムのＣＰＵ２０１が管理し、表裏面それぞれの画像形成時に、表裏面に応じた変換パラメータを処理条件として設定することにより、出力の画質を均一化する制御が可能になる。
【００２９】
ガンマ変換の場合を例にすると、制御システムとしては、ＣＰＵ２０１がガンマ変換パラメータの設定或いは切り替え制御を行う。ＣＰＵ２０１は、操作部２０５からのモード設定の指示に従い、動作モードに応じたガンマ変換パラメータを設定する。
ガンマ変換パラメータは、ＣＰＵ２０１管理下のＲＡＭ２０３内に装備したＮＶＲＡＭ（不揮発ＲＡＭ）に保持され、機器立ち上げ（ハードリセット）時に画像処理部（図３）のプリンタガンマ（γ）処理部３０６のＲＡＭ領域にデータ転送される。このため、上記ＮＶＲＡＭに保持されたガンマ変換パラメータ値を予め変更することで、プリンタガンマ処理部３０６にて変換される画像データのガンマ変換パラメータは、異なる値の変換パラメータで処理される。
片面印刷の場合、動作モードが１つであっても、本実施形態では両面印刷等を含め、複数の変換パラメータを用意しているので、その中から適合する変換パラメータを選択する必要がある。また、片面印刷の動作モードとして、フェースダウン（第１中間転写ベルト１０から記録媒体へ転写する動作モード）とフェースアップ（第２中間転写ベルト１００から記録媒体へ転写する動作モード）とが選択できる場合にも、それぞれに適合する変換パラメータを設定する必要がある。
両面印刷の場合、ＣＰＵ２０１は、画像処理部（図３）に流す画像データが表面用のデータであるときと、裏面用のデータである時とで変換パラメータの設定を切り替える必要がある。操作部から両面印刷モードが指示された場合、両面印刷動作の一環として、上述の頁揃えのための作像順や、正、逆像（鏡像）に切り換える露光処理と同様に、ガンマ変換処理の設定を切り替え、処理フローの管理をする。
なお、ここでは、ガンマ変換を例に、変換パラメータの設定の切り替えについて述べた。この表裏面の画像形成に適合するガンマ変換パラメータの設定に関する手法は、色補正処理部３０４における色変換パラメータの設定にも、同様に適用可能である。
【００３０】
次に示す実施形態は、表裏面の画像出力における画質の均一化を図るために設定されるガンマ変換パラメータを装置内で生成し得るようにする手段に係わる。
本実施形態は、調整を必要とする画像形成部（図１）により基準画像パターンを出力させ、この出力画像パターンに基づいてガンマ変換パラメータを生成する方式である。この方式は、装置自身の持つ画像出力特性が、直接反映され、より適正な調整を可能とするものである。基準画像パターン出力をもとにガンマ変換パラメータを生成する過程は、紙出力された基準画像パターンを画像読み取り部２０６で読み取り、得られる画像データと目標とする最適画像データとの関係からガンマ変換パラメータを求める、という手順を踏む。こうした基準画像パターン読み取り方式でガンマ変換パラメータを求め、求めたガンマ変換パラメータを用いることにより、最適画像データを目標とする適正な調整を簡単に行うことが可能になる。
【００３１】
具体的には、画像処理部（図３）のＡＣＣ（自動カラー補正）処理部３０３がこのガンマ変換パラメータ生成機能を実現する手段となる。
ＡＣＣ処理部３０３は、ガンマ変換パラメータの生成時に、通常のコピーモードとは異なる動作モードの指示のもとに、ガンマ変換パラメータの生成に必要な処理を行う。このために、ＡＣＣ処理部３０３は、画像読み取り部２０６からコピーモード時に流れてくる読取り画像データをスルーさせ、ガンマ変換パラメータの生成時に流れてくる読取り画像データを取り込むようにする切り替えＳＷを持つ。また、所定濃度階調をもつ複数の定型パターンよりなる基準画像パターン（後述するカラーパッチで、Ｃ，Ｍ，Ｙ，Ｋ単色のパターンを使用）を保持するＲＡＭ領域と、基準画像パターンをもとに紙出力した画像を読取り、得られた画像データを保持するＲＡＭ領域、目標とする最適画像データの保持領域、基準画像パターンの読取りデータと目標とする最適画像データとを比較する比較器および比較器によって得られた結果を保持するＲＡＭ領域を持つ。
操作部２０５からガンマ変換パラメータの生成処理の指令入力が行われると、制御システム（図２）のＣＰＵ２０１は、基準画像パターン形成の指示をシステムコントローラ２０４に与える。指示を受けたシステムコントローラ２０４は、画像処理部のＡＣＣ処理部３０３を動作させる。
【００３２】
先ず、ＡＣＣ処理部３０３は、ＲＡＭに保持している基準画像パターンのデータを出力する。次いで、出力された基準画像パターンのデータは、画像形成部（図１）で画像形成に用いられる。画像形成部は、上述の画像形成過程を経て転写紙上に基準画像パターンを作成し、紙出力する。転写紙に印刷された基準画像パターンは、画像形成部に固有の機器特性の影響を受けた画像であり、画像形成過程が異なれば、異なった画質の画像出力になるのが、普通である。
転写紙上に作成された基準画像パターンは、次に、ＣＰＵ２０１からの基準画像パターンの読取り指示により、画像読取り部２０６で読み取られる（読み取りを行うために、基準画像パターンが印刷された転写紙を原稿台に載せる操作が必要になる）。
読み取った画像データには、画像形成部に固有の機器特性による変化が現れる。そこで、画像に現れた機器特性の影響を評価するために、読取った基準画像パターンは、予め定められている目標とする最適画像データと比較される。得られる比較結果は、ガンマ変換パラメータを定める基礎になるので、この後、ＣＰＵ２０１に転送される。
ＣＰＵ２０１は、比較結果をもとに、機器特性の影響をキャンセルし、目標とする最適画像データを得ることを可能とするガンマ変換パラメータを求め、管理下のＮＶＲＡＭ領域内に保存するプリンタガンマの変換パラメータを書き換える。このようにして、画像処理部のプリンタガンマ（γ）処理部３０６に機器特性に適合する変換パラメータを設定することを可能にする。
なお、本実施形態では、表裏の両面について、それぞれのガンマ変換パラメータの生成を行うので、表裏何れの面が処理の対象になっているかを装置が認識している必要がある。このための手段として、ガンマ変換パラメータを生成する処理を操作部２０５から指示する際に、表裏何れの面が処理の対象になっているかを指示する入力操作を行うようにする。
【００３３】
次に示す実施形態は、表裏面の画像出力における画質の均一化を図るために設定される色変換パラメータを装置内で生成し得るようにする手段に係わる。
本実施形態は、調整すべき画像形成部（図１）により基準画像パターンを出力させ、この出力画像パターンに基づいて色変換パラメータを生成する方式である。この方式は、装置自身の持つ画像出力特性が、直接反映され、より適正な調整を可能とするものである。基準画像パターン出力をもとに色変換パラメータを生成する過程は、紙出力された基準画像パターンを画像読み取り部２０６で読み取り、得られる画像データと目標とする最適画像データとの関係から色補正処理部３０４に設定する色変換パラメータを求める、という手順を踏む。こうした基準画像パターン読み取り方式で色変換パラメータを求め、求めた色変換パラメータを用いることにより、最適画像データを目標として行われる調整を簡単に行うことが可能になる。
【００３４】
具体的には、画像処理部（図３）のＡＣＣ（自動カラー補正）処理部３０３がこの色変換パラメータ生成機能を実現する手段となる。
ＡＣＣ処理部３０３は、色変換パラメータの生成時に、通常のコピーモードとは異なる動作モードの指示のもとに、色変換パラメータの生成に必要な処理を行う。このために、ＡＣＣ処理部３０３は、画像読み取り部２０６からコピーモード時に流れてくる読取り画像データをスルーさせ、色変換パラメータの生成時に流れてくる読取り画像データを取り込むようにする切り替えＳＷを持つ。また、所定濃度階調をもつ複数の定型パターンよりなる基準画像パターンを保持するＲＡＭ領域と、基準画像パターンをもとに紙出力した画像を読取り、得られた画像データを保持するＲＡＭ領域、目標とする最適画像データの保持領域、基準画像パターンの読取りデータと目標とする最適画像データとを比較する比較器および比較器によって得られた結果を保持するＲＡＭ領域を持つ。
ここで使用する基準画像パターンは、例えば、副走査方向にＣ，Ｍ，Ｙ，Ｋ４色のグラデーションで構成されるカラーパッチである。単色の場合は、Ｃ，Ｍ，Ｙ，Ｋいずれか1色を使用するので、Ｋ（Ｋ＝０〜２５５、Ｙ＝０、Ｍ＝０，Ｃ＝０）、Ｙ（Ｙ＝０〜２５５、Ｋ＝０、Ｍ＝０，Ｃ＝０）、Ｃ（Ｃ＝０〜２５５、Ｙ＝０、Ｍ＝０，Ｋ＝０）、Ｍ（Ｍ＝０〜２５５、Ｙ＝０、Ｋ＝０，Ｃ＝０）のデータがＲＡＭ領域から画像形成用のデータとして出力される。また、混色の場合は、Ｃ，Ｍ，Ｙ，Ｋいずれか２色以上を使用するので、Ｃ＋Ｙ（Ｙ＝０〜２５５、Ｋ＝０、Ｍ＝０，Ｃ＝０〜２５５）、以下同様に、他の２色及び３色を混色するバリエーション、さらに４色のＣ＋Ｍ＋Ｙ＋Ｋ（Ｙ＝０〜２５５、Ｋ＝０〜２５５、Ｍ＝０〜２５５，Ｃ＝０〜２５５）のデータが、ＲＡＭ領域から画像形成用のデータとして出力される。
この基準画像パターンの出力は、変換パラメータの生成処理時に、単色、混色を任意に指定でき、作像モード、本実施形態に即して言えば表裏面それぞれのカラーパッチ（基準画像パターン）として作成される。
【００３５】
操作部２０５から色変換パラメータの生成処理の指令入力が行われると、制御システム（図２）のＣＰＵ２０１は、基準画像パターン形成の指示をシステムコントローラ２０４に与える。この指示には、出力すべき基準画像パターンの種類、即ち色の種類（単色、混色等）が指定されている。指示を受けたシステムコントローラ２０４は、画像処理部のＡＣＣ処理部３０３を動作させる。
先ず、ＡＣＣ処理部３０３は、ＲＡＭに保持している基準画像パターンの中から指定された種類の色データを出力する。次いで、出力された基準画像パターンのデータは、画像形成部（図１）で画像形成に用いられる。画像形成部は、上述の画像形成過程を経て転写紙上に基準画像パターン（カラーパッチ）を作成し、紙出力する。転写紙に印刷されたカラーパッチは、画像形成部に固有の機器特性の影響を受けた画像であり、画像形成過程が異なれば、異なった色味の画像出力になるのが、普通である。
転写紙上に作成されたカラーパッチは、次に、ＣＰＵ２０１からのカラーパッチの読取り指示により、画像読取り部２０６で読み取られる（読み取りを行うために、カラーパッチが印刷された転写紙を原稿台に載せる操作が必要になる）。
読み取ったＲＧＢ画像データには、画像形成部に固有の機器特性による変化が現れる。そこで、画像に現れた機器特性の影響を評価するために、カラーパッチを読み取って得た画像データは、予め定められている目標とする最適画像データと比較される。得られる比較結果は、色変換パラメータを定める基礎になるので、この後、ＣＰＵ２０１に転送される。
ＣＰＵ２０１は、比較結果をもとに、機器特性の影響をキャンセルし、目標とする最適画像データを得ることを可能とする色変換パラメータを求める。
例えば、色補正処理部３０４では、読み取ったＲＧＢ画像の濃度は、下記の式によって書き込み用ＣＭＹＫ画像データに変換される。なお、式中に示された定数ｋnmが上記の手順で求めた色変換パラメータである。本実施形態では、求めた色変換パラメータは、作像モード毎に異なるデータとなる。本実施形態では、この色変換パラメータにより表裏の画像の色味に違いが生じないような調整が可能になる。
Ｃ＝ｋ11×Ｒ＋ｋ12×Ｇ＋ｋ13×Ｂ＋ｋ14
Ｍ＝ｋ21×Ｒ＋ｋ22×Ｇ＋ｋ23×Ｂ＋ｋ24
Ｙ＝ｋ31×Ｒ＋ｋ32×Ｇ＋ｋ33×Ｂ＋ｋ34
Ｋ＝ｋ41×Ｒ＋ｋ42×Ｇ＋ｋ43×Ｂ＋ｋ44
求めた色変換パラメータによって、管理下のＮＶＲＡＭ領域内に保存する色補正の変換パラメータを書き換える。このようにして、画像処理部の色補正処理部３０４に機器特性に適合する変換パラメータを設定することが可能になる。
なお、本実施形態では、表裏の両面について、それぞれの色変換パラメータの生成を行うので、表裏何れの面が処理の対象になっているかを装置が認識している必要がある。このために、色変換パラメータを生成する処理を操作部２０５から指示する際に、表裏何れの面が処理の対象になっているかを指示する入力操作を行うようにする。
【００３６】
以上に記載した実施形態は、複写装置に実施した形態について述べたが、画像形成に用いる画像データに対する変換パラメータを変更する上記のような機能を、図１に示した画像形成部と組み合わせて構成する画像形成装置である、プリンタ、ファクシミリ等にも実施することが可能である。
また、上記実施形態では、複数色のトナーを使った、カラー画像の作像に関して述べたが、モノクロ画像による両面同時印刷にも、本発明を適用することが可能である。
【図面の簡単な説明】
【００３７】
【図１】両面同時転写を可能とした画像形成部の構成を示す。
【図２】本発明の実施形態に係わるデジタル複写装置の制御システムの概略構成を示す。
【図３】画像処理部の構成を示すブロックである。
【符号の説明】
【００３８】
１・・感光体ドラム、            ４・・露光装置、
１０・・第１中間転写ベルト、    ２０，１２０・・転写手段、
１００・・第２中間転写ベルト、    ３０３・・ＡＣＣ（自動カラー補正）処理部
３０４・・色補正処理部、          ３０６・・プリンタガンマ（γ）処理部。
【図１】
2006084778.tif 000003
【図２】
2006084778.tif 000004
【図３】
2006084778.tif 000005